(57)【要約】【課題】低コストで作業性に優れた音声案内装置を提供する。【解決手段】エレベータホール内に音声案内装置２Ａ〜２Ｃを備えたエレベータホール用音声案内装置において、前記音声案内装置２Ａ〜２Ｃを、エレベータ制御装置１と信号線１０を介して接続される接続端子３と、この接続端子３を介して受信した信号を解読しデジタル音声データを読み出す制御用ＣＰＵ４と、この制御用ＣＰＵ４で読み出されたデジタル信号をアナログ信号に変換し合成音声を作成する音声合成部６と、この音声合成部６で作成された音声を増幅する音声増幅部７とから構成し、かつ、前記音声案内装置２Ａ〜２Ｃを、エレベータの各階ホール１４に備えられた乗場装置１１内に設けた構成。【選択図】図１
2006044874.tif 000002
【特許請求の範囲】
【請求項１】
エレベータホール内に音声案内装置を備えたエレベータホール用音声案内装置において、
前記音声案内装置を、エレベータ制御装置と信号線を介して接続される接続端子と、この接続端子を介して受信した信号を解読しデジタル音声データを読み出す制御用ＣＰＵと、この制御用ＣＰＵで読み出されたデジタル信号をアナログ信号に変換し合成音声を作成する音声合成部と、この音声合成部で作成された音声を増幅する音声増幅部とから構成し、かつ、前記音声案内装置を、エレベータの各階ホールに備えられた乗場装置内に設けたことを特徴とするエレベータホール用音声案内装置。
【請求項２】
前記制御用ＣＰＵ内に、各階で案内させる複数の音声データを１つのブロックとし、このブロックを複数有する音声データ格納部を設けたことを特徴とする請求項１記載のエレベータホール用音声案内装置。
【発明の詳細な説明】
【技術分野】
【０００１】
本発明は、エレベータのホールに設けられるエレベータホール用音声案内装置に関するものである。
【背景技術】
【０００２】
近年、高層ビルディング等の建築物の縦の交通機関として位置付けられるエレベータにおいて、エレベータの利用環境を向上させるため数多くの装置が使用されるようになってきた。その中の一つとして、エレベータの利用者にエレベータの運行状況を報知させるものがあり、従来はチャイムや、ブザーや、案内灯を用い報知してきた。近年では、更なるサービスの向上として、音声案内装置による音声案内が行なわれるようになってきた。これは、既設制御装置を新設制御装置に交換するリニューアルエレベータにおいても同様である。
【０００３】
前記音声案内装置として、１つのユニットに表示手段と音声案内手段を内蔵し、１つの伝送路で表示データと音声案内データを伝送し、表示手段と音声案内手段をエレベータ制御装置により連動させてエレベータの運行状況を案内させるようにしたものが提案されている（例えば、特許文献１参照）。
【特許文献１】特開平９−１５６８４５公報（段落番号０００５、図１）
【発明の開示】
【発明が解決しようとする課題】
【０００４】
上述した従来の技術では、表示手段と音声案内手段の両方でエレベータの運行状況を案内させるので、エレベータの利用者に、より利用しやすい報知ないし案内システムを提供することができる。
【０００５】
しかし、この構成の場合、表示手段と音声案内手段とを内蔵したユニットに、１つの伝送路でデータを伝送するため、データを１つの伝送路で伝送できるようにするインターフェース装置をエレベータの制御装置内に設ける必要があり、また前記インターフェース装置から表示手段と音声案内手段を内蔵したユニットまでの信号配線を新たに布設する必要があるため、構造が複雑になるという問題があった。特に、既設の信号線を極力利用し、既設制御装置を新設制御装置に交換するリニューアルエレベータにおいては、コストが高く、配線作業が増えるという難点があった。
【０００６】
本発明は、上述した従来技術における実状からなされたもので、低コストで作業性に優れた音声案内装置を提供することを目的とするものである。
【課題を解決するための手段】
【０００７】
上記目的を達成するために、本発明の請求項１では、エレベータホール内に音声案内装置を備えたエレベータホール用音声案内装置において、前記音声案内装置を、エレベータ制御装置と信号線を介して接続される接続端子と、この接続端子を介して受信した信号を解読しデジタル音声データを読み出す制御用中央演算処理装置（本願明細書では制御用ＣＰＵという）と、この制御用ＣＰＵで読み出されたデジタル信号をアナログ信号に変換し合成音声を作成する音声合成部と、この音声合成部で作成された音声を増幅する音声増幅部とから構成し、かつ、前記音声案内装置を、エレベータの各階ホールに備えられた乗場装置内に設けた構成にしてある。
【０００８】
この構成により、エレベータの各階ホールでホールごとに異なる音声案内をすることができ、エレベータの利用者により細かなサービスを提供することができる。また、音声案内装置からスピーカーまでのアナログ信号線の長さを短くできるので、ノイズによる雑音を低減できるというメリットもある。
【０００９】
本発明の請求項２では、制御用ＣＰＵ内に、各階で案内させる複数の音声データを１つのブロックとし、このブロックを複数有する音声データ格納部を設けた構成にしてある。
【００１０】
この構成により、信号線の配線方法と簡単な信号の組み合わせとで音声データを選択することができるので、音声案内装置取付け時の配線作業を少なくすることができる。
【発明の効果】
【００１１】
本発明によれば、低コストで音声案内装置を取付けることができ、従来に比べてエレベータの利用者に対するサービス性を向上させることができる。
【発明を実施するための最良の形態】
【００１２】
以下，本発明のエレベータホール用音声案内装置の実施形態を図に基づいて説明する。
【００１３】
図１は本発明になるエレベータホール用音声案内装置の一実施形態を示すブロック図、図２は図１の音声データ格納部内の音声データテーブルを示す図、図３は本発明の一実施形態を示すエレベータの乗場正面図である。
【００１４】
図１は３階床のエレベータの場合を示す。図１において、１はエレベータ機械室にあるエレベータ制御装置、２Ａ〜２Ｃは音声案内装置であり、前記音声案内装置２Ａ〜２Ｃは同一のものである。音声案内装置２Ａ〜２Ｃは、前記エレベータ制御装置と信号線１０を介して接続されている接続端子と、受信した放送指令信号を解読し、必要なデータを読み出すデータ制御用ＣＰＵと、解読手順を記憶する記憶部５と、前記制御用ＣＰＵ４で読み出されたデジタル信号をアナログ信号に変換し合成音声を作成する音声合成部６と、この音声合成部６で作成された音声を増幅する音声増幅部７とから構成されている。前記制御用ＣＰＵ４には、音声データ格納部９が内蔵されており、この音声データ格納部は、図２に示すように、幾つかのブロックに分かれて、各々データを受信する構成となっている。例えば、接続端子３の１番端子と２番端子に入力した信号はブロックＡで受信、接続端子３の３番端子と４番端子に入力した信号はブロックＢで受信、接続端子３の５番端子６番端子に入力した信号はブロックＣで受信といった具合に、接続端子３の端子番号でデータを受信するブロックが決まっている。８Ａ〜８Ｃは音声案内装置２Ａ〜２Ｃで作られた音声データを報知するスピーカーである。
【００１５】
図２は図１の音声データ格納部９内の音声データテーブルを示す図であり、音声データ（例えば音声データＡ−１）は特定の階（例えば１階）で案内させる複数の音声データ（例えば音声データＡ−１〜音声データＡ−３）を１つのブロックとし（例えばブロックＡ）、ブロックごとに格納する構成としている。本構成とすることにより、信号線の配線方法で各々のブロックの選択ができ（ブロックＡ〜ブロックＣ）、簡単なデジタル信号で各ブロック内の音声データの選択ができる。例えば、ブロックＡの音声データにおいて、デジタル信号が「０１」の場合は音声データＡ−１を、デジタル信号が「１０」の場合は音声データＡ−２を、デジタル信号が「１１」の場合は音声データＡ−３を選択する。
【００１６】
図３は本発明の一実施形態を示すエレベータの乗場正面図を示す。図３において、１１はエレベータの各階乗場に取付ける乗場装置であり、この乗場装置１１は、前記音声案内装置２Ａとスピーカー８Ａと、案内表示装置１２、かご呼び登録釦１３で構成されている。１４はホールを示す。
【００１７】
今、１階のホール１４にある乗場装置１１内に音声案内装置２Ａを、２階のホール１４にある乗場装置１１内に音声案内装置２Ｂを、３階のホール１４にある乗場装置１１内に音声案内装置２Ｃを取付ける。エレベータ制御装置１からの信号線１０は、１階の乗場装置１１内に取付けた音声案内装置２Ａの接続端子３の１番端子と２番端子、２階の乗場装置１１内に取付けた音声案内装置２Ｂの接続端子３の３番端子と４番端子、３階の乗場装置１１内に取付けた音声案内装置２Ｃの接続端子３の５番端子と６番端子にそれぞれ接続する。また、音声案内装置２Ａ〜２Ｃの音声データ格納部９は、ブロックＡに１階乗場で案内する内容の音声データ（音声データＡ−１〜音声データＡ−３）を、ブロックＢには２階乗場で案内する内容の音声データ（音声データＢ−１〜音声データＢ−３）を、ブロックＣには３階乗場で案内する内容の音声データ（音声データＣ−１〜音声データＣ−３）を格納しておく。
【００１８】
しかして、エレベータの利用者が図３に示すエレベータの１階ホール１４に設けてある乗場装置１１内のかご呼び登録釦１３を押した場合、この信号が図１に示すエレベータ制御装置１に入力される。エレベータ制御装置１では、前記信号を受信し処理を行い、必要なタイミングで案内する内容に該当する放送指令信号を、１階の乗場装置１１内に取付けた音声案内装置２Ａに、信号線１０で伝送する。信号線１０で伝送された放送指令信号は、音声案内装置２Ａ内の接続端子３の１番端子２番端子を介して制御用ＣＰＵ４内の音声データ格納部９のブロックＡで受信する。制御用ＣＰＵ４は、記憶部５内に格納されている解読手順に従って、受信した放送指令信号を解読し、音声合成に必要なデータを音声合成部６に送り、これを制御する。音声合成部６は、音声データ格納部９に格納されている複数のデジタル音声データのうち必要なものを読み出し、そのデジタル音声データをアナログ変換し、合成音声を作成した後、音声増幅部７に音声データを送る。前記音声データは音声増幅部７で必要に応じ増幅された後、音声出力器８Ａにより出力される。
【００１９】
本実施形態によれば、音声案内装置の音声データ格納部９に、所定の階で案内させる複数の音声データを１つのブロックとし、ブロックごとに格納する構成とするので、信号線の配線方法と簡単なデジタル信号との組み合わせで音声データを選択できるため、音声案内装置取付け時の配線作業を少なくでき、インターフェース装置などの新たな装置を追加する必要がなく、低コストの音声案内装置を提供することができ、エレベータの利用者に対するサービス性を向上させることができる。
【００２０】
なお、本発明は、リニューアルエレベータに採用することにより大きな効果があるが、新設エレベータにも採用することができる。
【図面の簡単な説明】
【００２１】
【図１】本発明になるエレベータホール用音声案内装置の一実施形態を示すブロック図である。
【図２】図１の音声データ格納部内の音声データテーブルを示す図である。
【図３】本発明の一実施形態を示すエレベータの乗場正面図である。
【符号の説明】
【００２２】
１          エレベータの制御装置
２Ａ〜２Ｃ  音声案内装置
３          接続端子
４          制御用ＣＰＵ
５          記憶部
６          音声合成部
７          音声増幅部
８Ａ〜８Ｃ  スピーカー
９          音声データ格納部
１０        信号線
１１        乗場装置
１２        案内表示装置
１３        かご呼び登録釦
１４        ホール
【図１】
2006044874.tif 000003
【図２】
2006044874.tif 000004
【図３】
2006044874.tif 000005